(57)【要約】【課題】発信試験を実施するときに、加入者データを変更せずに済み、試験用の加入者データを用意する必要性をなくすことができるようにする。【解決手段】ゲートウェイは、複数の加入者端末との間の各回線を収容する回線収容部１１１と、各回線に対応させて回線対応番号を含む加入者データを管理する加入者データ管理部１１２と、試験対象回線を閉塞状態に設定する閉塞状態設定部１１３と、ＩＰ網側に発信される試験呼のメッセージに試験呼識別子を設定する試験呼識別子設定部１１４とを備えている。【選択図】図６
2010199981.tif 000002
【特許請求の範囲】
【請求項１】
公衆回線網に収容される加入者端末とＩＰ網に収容される端末装置との通信を成立させるゲートウェイであって、
複数の加入者端末との間の各回線を収容する回線収容部と、
前記各回線に対応させて回線対応番号を含む加入者データを管理する加入者データ管理部と、
試験対象回線を閉塞状態に設定する閉塞状態設定部と、
ＩＰ網側に発信される試験呼のメッセージに試験呼識別子を設定する試験呼識別子設定部と
を備えたことを特徴とするゲートウェイ。
【請求項２】
試験対象回線から試験呼を発信する発信試験装置を備え、
試験呼識別子設定部は、前記発信試験装置から発信された試験呼に対して試験呼識別子を設定する
請求項１記載のゲートウェイ。
【請求項３】
試験呼識別子設定部は、ＳＩＰメッセージのfromヘッダのcpc パラメータに試験呼識別子を設定する
請求項１または請求項２記載のゲートウェイ。
【請求項４】
回線収容部は、回線群を構成する各回線を収容する
請求項１から請求項３のうちのいずれか１項に記載のゲートウェイ。
【請求項５】
回線収容部は、代表群を構成する加入者端末を収容する構内交換機に接続される回線を収容する
請求項４記載のゲートウェイ。
【請求項６】
公衆回線網に収容される複数の加入者端末との間の各回線を収容する回線収容部と、前記各回線に対応させて回線対応番号を含む加入者データを管理する加入者データ管理部とを備え、加入者端末とＩＰ網に収容される端末装置との通信を成立させるゲートウェイにおける発信試験方法であって、
試験対象回線を閉塞状態に設定し、
ＩＰ網側に発信される試験呼のメッセージに試験呼識別子を設定する
ことを特徴とする発信試験方法。
【請求項７】
試験対象回線から試験呼を発信する発信試験装置を備えたゲートウェイにおける発信試験方法であって、
発信試験装置から発信された試験呼に対して試験呼識別子を設定する
請求項６記載の発信試験方法。
【発明の詳細な説明】
【技術分野】
【０００１】
本発明は、ＰＳＴＮに収容可能な加入者装置とＩＰ網との間に設置され、加入者装置とＩＰ網に接続される端末装置との通信を成立させるためのゲートウェイ、およびゲートウェイにおける発信試験方法に関する。
【背景技術】
【０００２】
ＰＳＴＮ（Public Switched Telephone Network ）とＶｏＩＰ（Voice over Internet Protocol）網とを接続するために、アナログ信号とＶｏＩＰパケットの相互変換等を行うゲートウェイが使用される（例えば、特許文献１参照。）。
【０００３】
また、ＰＳＴＮに収容可能な加入者装置とＩＰ網との間に、ゲートウェイとしてのアクセスゲートウェイ（ＡＧＷ）が設置された通信システムがある。ＡＧＷは、加入者装置から送信されたアナログ信号をＩＰパケットに変換してＩＰ網に送信する。また、ＩＰ網からのＩＰパケットをアナログ信号に変換して加入者装置に送信する。
【先行技術文献】
【特許文献】
【０００４】
【特許文献１】特開２００３−３１９０６６号公報（段落０００３、図６）
【発明の概要】
【発明が解決しようとする課題】
【０００５】
図７は、アナログ信号とＩＰパケットの相互変換等を行うＡＧＷが用いられている通信システムの一例を示すブロック図である。図７に示す例では、ＡＧＷ１０は、ＰＢＸ（Private Branch eXchange ：構内交換機）４と加入者回線（以下、回線ともいう。）２１，２２，２３で接続されている。ＡＧＷ１０において、回線２１，２２，２３は、それぞれ、回線収容部（図示せず）に収容される。ＰＢＸ４は、加入者端末４１〜４５を収容している。また、ＡＧＷ１０は、ＳＩＰサーバ７と通信可能に接続される。
【０００６】
また、加入者端末４１〜４５は代表群Ｄを構成し、回線２１，２２，２３は回線群を構成している。
【０００７】
AＧＷ１０には、回線２１，２２，２３のそれぞれに割り当てられた電話番号である回線対応番号等の加入者データが設定されたテーブル１００が設けられている。AＧＷ１０は、発信時に通知される発信者番号として、回線２１，２２，２３のそれぞれに割り当てられた回線対応番号を使用する。なお、「０９０１００１」が代表群Ｄの代表番号であるとする。
【０００８】
図７には、代表群Ｄを構成する加入者端末４１から発信があったときに、回線群２における回線２１が使用される例が示されている。ＡＧＷ１０からＩＰ網側に発信する際に、発信者番号として代表番号の「０９０１００１」がＳＩＰサーバ７に通知される。通知された「０９０１００１」が代表群Ｄの代表番号であるので、ＳＩＰサーバ７は、通常発信呼が発生したと判断する。
【０００９】
このような代表群や回線群を構成する機能を有する通信システムにおいて、発信番号を回線対応番号とするような場合に、特定回線の発信時の呼接続正常性を確認する発信試験を実施することが求められる。
【００１０】
図８は、発信試験時のＡＧＷの動作を説明するためのブロック図である。図８には、発信試験回路５が、回線２１の発信試験を実施するために、回線２１を収容する回線収容部を介して発信試験を行う例が示されている。そのような試験方法では、回線２１の発信試験を実施した場合にも、代表番号の「０９０１００１」がＳＩＰサーバ７に通知される。よって、ＳＩＰサーバ７は、通常発信呼と試験呼とを識別することができない。
【００１１】
なお、図８には、加入者データ（加入者種別や電話番号等：図８には、回線対応電話番号が例示されている。）を管理するためのテーブル１００が設けられていることが示されている。また、図８には、テーブル１００を用いて管理されている回線対応電話番号のうち、「０９０１００１」を試験対象回線にしていることが模式的に示されている。
【００１２】
試験呼と通常発信呼とを識別可能にするには、テーブル１００における加入者データを変更し、試験対象回線を代表群Ｄおよび回線群２から解除し、試験加入者を試験対象回線に割り当てるように設定する必要がある。そして、試験を実施する度に加入者データを変更する必要がある。また、所定数の試験用の加入者データを用意しておく必要がある。
【００１３】
本発明は、発信試験を実施するときに、加入者データを変更せずに済み、試験用の加入者データを用意する必要性をなくすことができるゲートウェイおよび発信試験方法を提供することを目的とする。
【課題を解決するための手段】
【００１４】
本発明によるゲートウェイは、公衆回線網に収容される加入者端末とＩＰ網に収容される端末装置との通信を成立させるゲートウェイであって、複数の加入者端末との間の各回線を収容する回線収容部と、各回線に対応させて回線対応番号を含む加入者データを管理する加入者データ管理部と、試験対象回線を閉塞状態に設定する閉塞状態設定部と、ＩＰ網側に発信される試験呼のメッセージに試験呼識別子を設定する試験呼識別子設定部とを備えたことを特徴とする。
【００１５】
本発明による発信試験方法は、公衆回線網に収容される複数の加入者端末との間の各回線を収容する回線収容部と、各回線に対応させて回線対応番号を含む加入者データを管理する加入者データ管理部とを備え、加入者端末とＩＰ網に収容される端末装置との通信を成立させるゲートウェイにおける発信試験方法であって、試験対象回線を閉塞状態に設定し、ＩＰ網側に発信される試験呼のメッセージに試験呼識別子を設定することを特徴とする。
【発明の効果】
【００１６】
本発明によれば、発信試験を実施するときに、加入者データを変更せずに済み、試験用の加入者データを用意する必要性をなくすことができる。
【図面の簡単な説明】
【００１７】
【図１】本発明によるＡＧＷの構成例を、ＰＢＸおよびＳＩＰサーバとともに示すブロック図である。
【図２】ＡＧＷの動作を説明するためのシーケンス図である。
【図３】ＡＧＷの動作を説明するためのシーケンス図である。
【図４】第１の実施形態における発信試験時のＡＧＷの動作を説明するためのブロック図である。
【図５】第２の実施形態における発信試験時のＡＧＷの動作を説明するためのブロック図である。
【図６】本発明によるゲートウェイの主要部を示すブロック図である。
【図７】アナログ信号とＩＰパケットの相互変換等を行うＡＧＷが用いられている通信システムの一例を示すブロック図である。
【図８】発信試験時のＡＧＷの動作を説明するためのブロック図である。
【発明を実施するための形態】
【００１８】
以下、本発明の実施形態を図面を参照して説明する。
【００１９】
実施形態１．
図１は、本発明によるＡＧＷの構成例を、ＰＢＸおよびＳＩＰサーバとともに示すブロック図である。
【００２０】
図１に示す構成例では、ＡＧＷ１には、ＰＢＸ４に接続する回線を収容するとともに発信試験装置を含む回線収容部１１と、デバイスドライバ（以下、ドライバという。）１２とが設けられている。保守制御部１３は、ドライバ１２を介して、回線閉塞するための制御や試験呼発信時のコマンド制御等を行う。加入者プロトコル制御部１４は、加入者側プロトコルを終端する。また、加入者管理部１５から加入者データを入力し、呼制御部１６および加入者側に所定の通知を行う。加入者管理部１５は、回線状態管理、回線選択および試験呼識別子管理等を行う。すなわち、加入者回線および加入者データの管理機能を有する。呼制御部１６は、プロトコルに依存しない共通呼処理機能を有する。ＳＩＰ制御部１７は、ＳＩＰを終端し、加入者回線とＳＩＰベースのＩＰ網とのインタワーク（相互接続）を提供する。なお、回線収容部１１には、呼処理用の回線の他に発信試験装置も備えられている。
【００２１】
次に、図２および図３のシーケンス図と図４のブロック図を参照して、発信試験時のＡＧＷ１の動作を説明する。
【００２２】
試験対象になる回線を試験呼以外の通信で使用不可にするために、まず、試験対象回線を閉塞する。具体的には、図２に示すように、保守制御部１３は、加入者側管理部１５に対して試験対象回線に対する回線制御を要求する保守コマンドを発行する（図２におけるＢ１参照）。加入者側管理部１５は、保守コマンドを受けると、試験対象回線制御を実行する。すなわち、保守コマンドで要求された回線の状態を試験呼を発信する回線に設定し、その回線に対応する試験呼識別子（ｃ１）を割り当てる。試験呼識別子（ｃ１）については後述する。加入者側管理部１５は、設定が完了すると、完了レスポンスを保守制御部１３に発行する（図２におけるＢ２参照）。なお、加入者側管理部１５が試験対象回線制御を実行することによって、試験対象回線は閉塞状態になる。すなわち、試験呼以外の呼が接続されない状態になる。
【００２３】
保守制御部１３は、加入者側管理部１５から完了レスポンスを受けると、図３に示すように、試験呼発信を要求するために、ドライバ１２を介して回線収容部１１に対して、試験要求コマンドを発行する（図３におけるＳ１，Ｓ２参照）。回線収容部１１における発信試験装置５（図４参照）は、試験呼を発信する。すなわち、発信試験回線（試験対象回線）から試験呼を発信する。
【００２４】
加入者プロトコル制御部１４は、ドライバ１２を介して試験呼を受ける（図３におけるＳ３，Ｓ４参照）。試験呼を受けた加入者プロトコル制御部１４は、加入者側管理部１５に、試験呼に対する試験呼識別子（ｃ１）を要求する（図３におけるＳ５参照）。
【００２５】
試験呼識別子（ｃ１）は、例えば、ＩＰ網に送信されるＳＩＰメッセージにおけるFromヘッダのcpc （Calling Party's Category）パラメータに、下記のように設定されるデータである。
From: "XXXX" <sip:XXXX@DDD.DDD.DDD.DDD:5060;user=phone;cpc=c1>;tag=DDDDDDD
【００２６】
加入者側管理部１５は、要求に応じて、試験呼識別子（ｃ１）を加入者プロトコル制御部１４に出力する（図３におけるＳ６参照）。加入者プロトコル制御部１４は、試験呼識別子（ｃ１）を含む試験呼を呼制御部１６を介してＳＩＰ制御部１７に出力する（図３におけるＳ７，Ｓ８参照）。ＳＩＰ制御部１７は、試験呼の試験識別子（ｃ１）をＳＩＰメッセージのFromヘッダのcpc パラメータに設定し、ＳＩＰサーバ７にＳＩＰメッセージ（ＩＮＶＩＴＥメッセージ：図３におけるＳ９参照））を送信する。
【００２７】
図４は、第１の実施形態のＡＧＷの発信試験時の動作を説明するためのブロック図である。図４に示す例では、ＡＧＷ１は、ＰＢＸ４と回線２１，２２，２３で接続されている。ＡＧＷ１０において、回線２１，２２，２３は、それぞれ、回線収容部１１に収容される。ＰＢＸ４は、加入者端末４１〜４５を収容している。加入者端末４１〜４５は代表群Ｄを構成し、回線２１，２２，２３は回線群２を構成している。
【００２８】
また、図４には、発信試験回路５が、回線２１を試験対象回線にして発信試験を実施するために、回線２１を収容する回線収容部（図４において図示せず）を介して発信試験を行う例が示されている。
【００２９】
なお、図４には、加入者データ（図４では、回線対応電話番号が例示されている。）を管理するためのテーブル１００が設けられていることが示されている。テーブル１００は、加入者側管理部１５に設けられている。また、図４には、加入者側管理部１５においてテーブル１００を用いて管理されている回線対応電話番号のうち、「０９０１００１」を試験対象回線にしていることが模式的に示されている。
【００３０】
図８に例示された試験方法では、回線２１の発信試験を実施した場合にも、代表番号の「０９０１００１」がＳＩＰサーバ７に通知されので、ＳＩＰサーバ７は、通常発信呼と試験呼とを識別することができない。
【００３１】
しかし、本実施形態では、発信試験の場合には、ＳＩＰサーバ７には回線対応番号（図４に示す例では、代表番号の「０９０１００１」）は通知されず、試験識別子（ｃ１）が通知される。よって、ＳＩＰサーバ７は、試験呼を、通常発信呼と容易に識別することができる。また、ＳＩＰサーバ７を介して着信する端末装置も、試験呼と通常発信呼とを容易に識別することができる。
【００３２】
また、図８に例示された試験方法では、ＡＧＷ１０は、発信試験を実施する度に加入者データを変更したが、本実施形態では、ＡＧＷ１において、加入者側管理部１５は、発信試験を実施する際に加入者データを変更しなくてよい。
【００３３】
実施形態２．
図５は、第２の実施形態のＡＧＷの発信試験時の動作を説明するためのブロック図である。図５に示す例では、ＡＧＷ１は、加入者端末４１〜４３を収容しているＰＢＸ４と回線２１，２２，２３で接続され、加入者端末５１〜５３を収容しているＰＢＸ５と回線３１，３２，３３で接続されている。加入者端末４１〜４２は代表群Ｄを構成し、回線２１，２２，２３は回線群２を構成し、回線３１，３２，３３は他の回線群３を構成している。また、ＡＧＷ１は、加入者端末５１〜５３を収容しているＰＢＸ５と、回線群６１を構成する複数の回線および回線群６２を構成する複数の回線で接続されている。
【００３４】
また、通信システムには、ＡＧＷ６が設けられている。ＡＧＷ６は、加入者端末８１〜８３を収容しているＰＢＸ８と、回線群６３を構成する複数の回線および回線群６４を構成する複数の回線で接続されている。また、ＡＧＷ６は、加入者端末９１〜９３を収容しているＰＢＸ９と、回線群６５を構成する複数の回線および回線群６６を構成する複数の回線で接続されている。なお、図５には、ＩＰ網２００とＩＰ網３００とが相互通信可能に接続され、ＩＰ網２００とＰＳＴＮ４００とを相互通信可能に接続するためのＳＧ（Signaling Gateway ）およびＭＧ（Media Gateway ）が設置されていることが示されている。
【００３５】
図５に示す通信システムでは、ＡＧＷ１，６は、経路制御を行うレイヤ３スイッチ（Ｌ３）を介してＳＩＰサーバ７と通信可能に接続される。また、ＡＧＷ１とＡＧＷ６とは、ＳＩＰサーバ７を介さず、Ｌ３を介して通信を行う。
【００３６】
ＡＧＷ１の構成は、図１に示された構成と同様である。従って、第１の実施形態の場合と同様に、ＳＩＰサーバ７は、試験呼を、通常発信呼と容易に識別することができる。また、ＳＩＰサーバ７を介して着信する端末装置も、試験呼と通常発信呼とを容易に識別することができる。
【００３７】
さらに、ＡＧＷ６も、試験呼を、通常発信呼と容易に識別することができる。また、ＡＧＷ６を介して着信する加入者端末８１〜８３，９１〜９３も、試験呼と通常発信呼とを容易に識別することができる。
【００３８】
なお、上記の各実施形態では、代表群や回線群を構成する機能を有する通信システムにおけるＡＧＷを例にしたが、個別の複数の加入者端末に回線を介して直接的に接続されるゲートウェイについても本発明を適用することができる。
【００３９】
図６は、本発明によるゲートウェイの主要部を示すブロック図である。図６に示すように、ゲートウェイは、複数の加入者端末との間の各回線を収容する回線収容部１１１（図１に示す回線収容部１１に相当）と、各回線に対応させて回線対応番号を含む加入者データを管理する加入者データ管理部１１２（図１に示す加入者側管理部１５に相当）と、試験対象回線を閉塞状態に設定する閉塞状態設定部１１３（図１に示す加入者側管理部１５に相当）と、ＩＰ網側に発信される試験呼のメッセージに試験呼識別子を設定する試験呼識別子設定部１１４（図１に示す加入者側管理部１５に相当）とを備えている。
【産業上の利用可能性】
【００４０】
本発明を、ＰＳＴＮに収容可能な加入者装置とＩＰ網との間に設置されるゲートウェイに好適に適用することができる。
【符号の説明】
【００４１】
１，６  ＡＧＷ
２，３  回線群
４，５，８，９  ＰＢＸ
７      ＳＩＰサーバ
１０    ＡＧＷ
１１    回線収容部
１２    デバイスドライバ（ドライバ）
１３    保守制御部
１４    加入者プロトコル制御部
１５    加入者側管理部
１６    呼制御部
１７    ＳＩＰ制御部
２１〜２３，３１〜３３  加入者回線（回線）
４１〜４５  ＰＢＸ
６１〜６６  回線群
１００  テーブル
１１１  回線収容部
１１２  加入者データ管理部
１１３  閉塞状態設定部
１１４  試験呼識別子設定部
２００，３００  ＩＰ網
４００  ＰＳＴＮ
【図１】
2010199981.tif 000003
【図２】
2010199981.tif 000004
【図３】
2010199981.tif 000005
【図４】
2010199981.tif 000006
【図５】
2010199981.tif 000007
【図６】
2010199981.tif 000008
【図７】
2010199981.tif 000009
【図８】
2010199981.tif 000010